【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
エミッタ軸を有する光エミッタからの光を配光するレンズであって、
前記エミッタ軸の周囲に内部キャビティを画定する内側表面であって、前記光エミッタから受光された光をそれぞれ方向変換する複数の横断内側領域によって形成された内側階段状不連続部を備える、内側表面と、
方向変換された光を受光し、該受光された光をそれぞれ方向変換する複数の横断外側領域によって形成された外側階段状不連続部を備える外側表面と、
を備える、レンズ。
【請求項２】
前記内側表面からオフセットされた２次表面を更に備え、該２次表面は、前記内側表面から受光された光の全内部反射（ＴＩＲ）を行うように構成されている、請求項１に記載のレンズ。
【請求項３】
前記２次表面は、前記内部キャビティからオフセットされた２次キャビティの境界を少なくとも部分的に定める、請求項２に記載のレンズ。
【請求項４】
前記２次表面は、反射階段状不連続部を形成する複数の横断反射領域を備える、請求項２又は３に記載のレンズ。
【請求項５】
前記内側階段状不連続部、前記外側階段状不連続部及び前記反射階段状不連続部のそれぞれにおいて、対応する隣接する横断領域が、それらの間の実質的に平行な交差領域まで延在する、請求項４に記載のレンズ。
【請求項６】
前記外側階段状不連続部のうちの少なくとも幾つかは、前記２次表面によって反射された光を受光し方向変換するように前記２次表面にわたって光学的に整列されている、請求項２〜４のいずれか１項に記載のレンズ。
【請求項７】
前記内側階段状不連続部及び前記外側階段状不連続部のうちの少なくとも一方において、対応する隣接する横断領域が、それらの間の実質的に平行な交差領域まで延在する、請求項１〜３のいずれか１項に記載のレンズ。
【請求項８】
前記横断内側領域のうちの少なくとも幾つかは非平坦である、請求項１〜６のいずれか１項に記載のレンズ。
【請求項９】
前記横断外側領域のうちの幾つかは、異なる角度で傾斜している、請求項１〜６及び８のいずれか１項に記載のレンズ。
【請求項１０】
前記横断内側領域のうちの少なくとも幾つかは、前記光エミッタから受光された前記光の全内部反射（ＴＩＲ）を行うように構成されている、請求項９に記載のレンズ。
【請求項１１】
前記内側階段状不連続部は、互いに隣接する前記横断内側領域の対をそれぞれ接合する湾曲領域を備える、請求項１〜６及び８〜１０のいずれか１項に記載のレンズ。
【請求項１２】
前記エミッタ軸に近接した前記横断内側領域は、前記光エミッタから遠位の前記横断内側領域よりも小さな断面寸法を有する、請求項１〜６及び８〜１１のいずれか１項に記載のレンズ。
【請求項１３】
前記内側表面は、内側階段状不連続部の別個のセットを形成する横断内側領域の少なくとも２つのセットを備える、請求項１〜６及び８〜１２のいずれか１項に記載のレンズ。
【請求項１４】
前記外側表面は、平滑な外側領域を備え、
前記内側階段状不連続部の前記セットのうちの少なくとも１つは、エミッタ光を前記平滑な外側領域に向けて方向変換する、請求項１３に記載のレンズ。
【請求項１５】
エミッタ軸を有する光エミッタからの光を配光するレンズであって、
前記エミッタ軸の周囲に内部キャビティを画定する内側表面であって、前記光エミッタから受光された光をそれぞれ方向変換する複数の横断内側領域によって形成された内側階段状不連続部を備える、内側表面と、
前記内側表面から外方にオフセットされた少なくとも２つの２次表面であって、前記内側表面から受光された光の全内部反射（ＴＩＲ）を行うように構成されている、２次表面部分と、
方向変換された光を受光し、該受光された光をそれぞれ方向変換する複数の横断外側領域によって形成された外側階段状不連続部を備える外側表面と、
を備える、レンズ。
【請求項１６】
前記２次表面は、互いに実質的に対向する分離した表面である、請求項１５に記載のレンズ。
【請求項１７】
前記２次表面のうちの少なくとも１つは、反射階段状不連続部を形成する複数の横断反射領域を備える、請求項１５又は１６に記載のレンズ。
【請求項１８】
前記外側表面は、対応する前記２次表面によって反射された光を受光して該光を更に方向変換する前記２次表面のそれぞれに対応する外側階段状不連続部を備える、請求項１５〜１７のいずれか１項に記載のレンズ。
【請求項１９】
前記２次表面部分のうちの少なくとも１つは、反射階段状不連続部を形成する複数の横断反射領域を備える、請求項１８に記載のレンズ。
【請求項２０】
前記外側表面は、前記対応する２次表面部分の対応する領域から光を受光する対応する数の別個の外側階段状不連続部を形成する横断外側領域の少なくとも２つのセットを備え、一方は他方の外方にある、請求項１５〜１９のいずれか１項に記載のレンズ。
【請求項２１】
前記別個の外側階段状不連続部のうちの少なくとも２つは、前記２次表面部分のうちの前記少なくとも２つのそれぞれにわたって光学的に整列されている、請求項１５に記載のレンズ。
【請求項２２】
複数の間隔を空けて配置されたＬＥＤ光源と、該ＬＥＤ光源のうちの対応する１つとそれぞれ光学的に結合された複数のレンズとを備えるＬＥＤ装置を支持する実装表面を有するヒートシンク構造体を備えるＬＥＤ照明器具であって、前記レンズは、外側表面と、前記ＬＥＤ光源のエミッタ軸の周囲に内部キャビティを画定する内側表面とを備え、前記内側表面は、前記ＬＥＤ光源から受光された光をそれぞれ方向変換する複数の横断内側領域によって形成された内側表面階段状不連続部を備え、前記外側表面は、方向変換された光を受光し、前記受光された光をそれぞれ方向変換する複数の横断外側領域によって形成された外側表面階段状不連続部を備える、ＬＥＤ照明器具。
【請求項２３】
各レンズは、前記内側表面からオフセットされた少なくとも１つの２次表面を更に備え、該少なくとも１つの２次表面は、前記内側表面から受光された光の全内部反射（ＴＩＲ）を行うように構成されている、請求項２２に記載の照明器具。
【請求項２４】
前記少なくとも１つの２次表面は、反射階段状不連続部を形成する複数の横断反射領域を備える、請求項２３に記載の照明器具。
【請求項２５】
エミッタ軸を有する光エミッタからの光を配光するレンズであって、該レンズは、ファセット出力表面と、平滑な出力表面と、前記ファセット出力表面に向けて全内部反射（ＴＩＲ）を通じて光を反射する少なくとも１つの反射表面とを備え、前記ファセット出力表面は、横断表面の対によって形成され、該横断表面の各表面は、合成照度パターンを提供するように前記受光された光を方向変換する、レンズ。
【請求項２６】
前記エミッタ軸の周囲に光入力キャビティを少なくとも部分的に画定するファセット入力表面を更に備え、該ファセット入力表面は、横断表面の対によって形成され、該横断表面の各表面は、前記受光された光を方向変換する、請求項２５に記載のレンズ。
【請求項２７】
前記少なくとも１つの反射表面は、前記光入力キャビティからオフセットされた反射キャビティの境界を少なくとも部分的に定める、請求項２６に記載のレンズ。
【請求項２８】
前記ファセット入力表面は、全内部反射（ＴＩＲ）を通じて光を反射する表面部分を備える、請求項２６又は２７に記載のレンズ。
【請求項２９】
前記ファセット出力表面は、主要表面及び非主要表面を備える、請求項２５〜２８のいずれか１項に記載のレンズ。
【請求項３０】
前記非主要表面は、前記主要表面の横断表面の断面寸法よりも小さな断面寸法を有する横断表面部分によって形成されている、請求項２９に記載のレンズ。
【請求項３１】
前記ファセット出力表面の前記横断表面は、互いに実質的に平行である実質的に直線状の交差領域まで延在する、請求項２５〜３０のいずれか１項に記載のレンズ。
【請求項３２】
前記ファセット出力表面の前記横断表面は、互いに実質的に平行である実質的に湾曲した交差領域まで延在する、請求項２５〜３０のいずれか１項に記載のレンズ。